(57)【要約】【課題】本発明は、全てのユーザに対して痛みを伴わせることなく良好な装着感及び装着安定性を提供できるようにする。【解決手段】耳殻の外耳道近傍で保持されるドライバーユニット２１と、ドライバーユニット２１と一体化された構成を有し、当該ドライバーユニット２１から延設された所定形状のアーム２３Ａとを具え、アーム２３Ａの先端２３Ｂが耳殻の裏側付根部の窪み部分ＱＰに当接して保持されることにより、ドライバーユニット２１とアーム２３Ａの先端２３Ｂとによって二点支持される。これにより、どのような大きさ及び形状を有する耳殻に対しても、ドライバーユニット２１とアーム２３Ａの先端２３Ｂとによる二点支持によって装着されることになるので、耳殻の形状やサイズに拘わらず、全てのユーザに対して痛みを伴わせることなく良好な装着感及び装着安定性を提供することができる。【選択図】図５
2011019124.tif 000002
【特許請求の範囲】
【請求項１】
耳殻の外耳道近傍で保持されるドライバーユニットと、
上記ドライバーユニットと一体化された構成を有し、当該ドライバーユニットから延設された所定形状のアームと
を具え、
上記アームの先端が上記耳殻の裏側付根部の近接部分に当接して保持されることにより、上記ドライバーユニットと上記アームの先端とによって二点支持される
ヘッドホン装置。
【請求項２】
上記アームの先端は、上記耳殻の裏側付根部に当接する
請求項１に記載のヘッドホン装置。
【請求項３】
上記アームの先端は、上記耳殻の裏側付根部の窪み部分に当接する
請求項２に記載のヘッドホン装置。
【請求項４】
上記アームは、上記耳殻又は耳たぶを跨ぐような所定形状に湾曲されている
請求項３に記載のヘッドホン装置。
【発明の詳細な説明】
【技術分野】
【０００１】
本発明は、ヘッドホン装置に関し、例えば携帯型オーディオプレーヤに接続して用いられる小型で軽量のヘッドホン装置に適用して好適なものである。
【背景技術】
【０００２】
従来、図１に示すように、所謂クリップ式ヘッドホン装置１においては、ドライバーユニットを内蔵している本体部２と、耳掛け式つる部３とによって構成され、当該耳掛け式つる部３の上部３Ａでユーザの耳殻上方を挟み付けることによって保持される。
【０００３】
また図２に示すように、耳たぶ装着式ヘッドホン装置５においては、ドライバーユニット６と、当該ドライバーユニット６に取り付けられた略Ｕ字状の耳保持部７によって構成され、当該耳保持部７によってユーザの耳たぶを挟み付けることによって保持される。
【０００４】
さらに図３に示すように、耳たぶ装着式ヘッドホン装置８においては、ドライバーユニット９と、当該ドライバーユニット９と一体的に取り付けられた先端略Ｕ字状の耳保持部１０とによって構成されている。
【０００５】
そして、この耳たぶ装着式ヘッドホン装置８においては、当該耳保持部１０によってユーザの耳殻や耳たぶを挟み付けることによって保持される。
【０００６】
さらに、図４に示すように、耳掛け型ヘッドホン装置１１においては、ドライバーユニット１２と、当該ドライバーユニット１２と一体化され、ユーザの耳殻の外形に沿うように湾曲されたループ状の耳掛けハンガー１３とによって構成されている（例えば特許文献１参照）。
【０００７】
この耳掛け型ヘッドホン装置１１では、耳掛けハンガー１３の後方アーム部１３Ａ全体が耳殻裏側付根部に面のように接触し、かつ後方アーム部１３Ａの下方に形成された突起部１３Ｂが耳たぶの裏側の凹み部分にフィットした状態で保持される。
【先行技術文献】
【特許文献】
【０００８】
【特許文献１】特開2009-55122公報
【発明の概要】
【発明が解決しようとする課題】
【０００９】
ところで上述したクリップ式ヘッドホン装置１（図１）においては、本体部２と、耳掛け式つる部３の上部３Ａとにより耳殻上方を挟み付ける構造であるため、耳殻上方に対して圧迫感を与え、長時間の装着状態でユーザに痛みを伴わせるという問題があった。
【００１０】
またクリップ式ヘッドホン装置１では、様々な耳殻の形状に対し、本体部２から耳掛け式つる部３の上部３Ａまでの距離を調整できない構造である。そのためクリップ式ヘッドホン装置１は、耳掛け式つる部３の上部３Ａの位置が耳殻と合わないユーザにとっては装着自体が困難であり、耳殻そのものに負担を与えて装着性を損なうという問題があった。
【００１１】
逆に、クリップ式ヘッドホン装置１においては、本体部２と耳掛け式つる部３とによる圧迫感を軽減した場合、耳殻に対する本体部２の装着安定性を損なわせ、ヘッドホンとしての機能を十分に果たせない単なる飾りに過ぎなくなってしまうという問題があった。
【００１２】
さらに上述した耳たぶ装着式ヘッドホン装置５（図２）及び８（図３）においては、略Ｕ字状の耳保持部７及び１０によりユーザの耳たぶを挟み付ける構造であるため、耳たぶに対して圧迫感を与え、長時間の装着状態でユーザに痛みを与えるという問題があった。
【００１３】
さらに上述した耳掛け型ヘッドホン装置１１（図４）においては、耳掛けハンガー１３のサイズが固定されており、耳掛けハンガー１３のサイズが合わないユーザにとっては装着自体が困難であり、耳殻に負担を与えて装着性を損なうという問題があった。
【００１４】
本発明は以上の点を考慮してなされたもので、全てのユーザに対して痛みを伴わせることなく良好な装着感及び装着安定性を提供し得るヘッドホン装置を提案しようとするものである。
【課題を解決するための手段】
【００１５】
かかる課題を解決するため本発明のヘッドホン装置では、耳殻の外耳道近傍で保持されるドライバーユニットと、ドライバーユニットと一体化された構成を有し、当該ドライバーユニットから延設された所定形状のアームとを具え、アームの先端が耳殻の裏側付根部の近接部分に当接して保持されることにより、ドライバーユニットとアームの先端とによって二点支持されるようにする。
【００１６】
これによりヘッドホン装置では、どのような大きさ及び形状を有する耳殻に対しても、ドライバーユニットとアームの先端とによる二点支持によって装着されることになるので、耳殻の形状やサイズに拘わらず、全てのユーザに対して痛みを伴わせることなく良好な装着感及び装着安定性を提供することができる。
【発明の効果】
【００１７】
本発明によれば、どのような大きさ及び形状を有する耳殻に対しても、ドライバーユニットとアームの先端とによる二点支持によって装着されることになるので、耳殻の形状やサイズに拘わらず、全てのユーザに対して痛みを伴わせることなく良好な装着感及び装着安定性を提供し得るヘッドホン装置を実現することができる。
【図面の簡単な説明】
【００１８】
【図１】従来のクリップ式ヘッドホン装置を示す略線的斜視図である。
【図２】従来の耳たぶを挟み付ける構造の耳たぶ装着式ヘッドホン装置（１）を示す略線的斜視図である。
【図３】従来の耳たぶを挟み付ける構造の耳たぶ装着式ヘッドホン装置（２）を示す略線的斜視図である。
【図４】従来の耳掛け型ヘッドホン装置を示す略線的斜視図である。
【図５】本発明の第１の実施の形態におけるヘッドホン装置の外観構成（１）を示す正面図及び側面図である。
【図６】本発明の第１の実施の形態におけるヘッドホン装置の外観構成（２）を示す略線図である。
【図７】本発明の第１の実施の形態におけるヘッドホン装置の装着状態を示す略線図である。
【図８】耳たぶに対して装着するヘッドホン装置を示す略線図である。
【図９】本発明の第２の実施の形態におけるヘッドホン装置の外観構成を示す略線図である。
【図１０】本発明の第３の実施の形態におけるヘッドホン装置の外観構成を示す略線図である。
【図１１】本発明の第４の実施の形態におけるヘッドホン装置の外観構成を示す略線図である。
【図１２】本発明の第５の実施の形態におけるヘッドホン装置の外観構成を示す略線図である。
【図１３】本発明の第６の実施の形態におけるヘッドホン装置の外観構成を示す略線図である。
【図１４】他の実施の形態におけるヘッドホン装置の外観構成を示す略線図である。
【発明を実施するための形態】
【００１９】
以下、発明を実施するための形態について説明する。なお、説明は以下の順序で行う。
１．第１の実施の形態
２．第２の実施の形態
３．第３の実施の形態
４．第４の実施の形態
５．第５の実施の形態
６．第６の実施の形態
７．他の実施の形態
【００２０】
＜１．第１の実施の形態＞
［１−１．ヘッドホン装置の構成］
図５（Ａ）は、本発明の第１の実施の形態におけるヘッドホン装置２０を正面から見たときの様子を示し、図５（Ｂ）は、当該ヘッドホン装置２０を側面から見たときの様子を示す。
【００２１】
このヘッドホン装置２０では、インナーイヤータイプのドライバーユニット２１と、その先端に取り付けられたイヤーピース２２と、ドライバーユニット２１を一体的に保持している細い薄板状の耳保持部２３とによって構成されている。
【００２２】
耳保持部２３は、ドライバーユニット２１と接続コード２４とを当該耳保持部２３の内部で電気的に接続し、ドライバーユニット２１は接続コード２４を介して例えば携帯型オーディオプレーヤから供給される電気信号に応じた音声を出力する。
【００２３】
また耳保持部２３は、ドライバーユニット２１の取り付けられた部分が細い薄板状であるものの、その先端へ行くに連れて略Ｕ字状に湾曲されたアーム２３Ａを有している。そして耳保持部２３は、ユーザの耳に装着されたとき、当該アーム２３Ａがユーザの耳たぶに接触することなく当該耳たぶを跨ぐようになされている。
【００２４】
さらに耳保持部２３は、アーム２３Ａの先端２３Ｂが耳殻裏側付根部の窪み部分に当接するようになされている。そのため耳保持部２３は、耳殻裏側付根部の窪み部分に対してアーム２３Ａの先端２３Ｂが面のように接触できる所定角度（例えば約４５度〜６０度程度）に形成されている。
【００２５】
ここで耳保持部２３は、ニトリルゴム（ＮＢＲ）、シリコンゴム、射出成型により形成されたエラストマー、アクリル樹脂、ＡＢＳ（アクリロニトリル、ブタジエン、スチレン）樹脂、ポリプロピレンやポリブチレンテレフタレート等の合成樹脂すなわち弾性体でなる。
【００２６】
なお、アーム２３Ａについても、エラストマー、アクリル樹脂、ＡＢＳ樹脂、ポリプロピレンやポリブチレンテレフタレート等の合成樹脂すなわち弾性体でなる。因みに、耳保持部２３が金属で形成され、その先端のアーム２３Ａが弾性体で形成されるようにしても良い。
【００２７】
これによりヘッドホン装置２０は、耳保持部２３におけるアーム２３Ａの先端２３Ｂが耳殻裏側付根部の窪み部分に当接されたとき、ユーザに対して柔らかな装着感を与え得るようになされている。
【００２８】
また図６（Ａ）及び（Ｂ）に示すように、左耳用のヘッドホン装置２０Ｌにおける耳保持部２３Ｌと、右耳用のヘッドホン装置２０Ｒにおける耳保持部２３Ｒとは、互いに左右対称な形状を有している。なお、図５におけるヘッドホン装置２０は、図６（Ａ）におけるヘッドホン装置２０Ｒに相当する。
【００２９】
従って、左耳用のヘッドホン装置２０Ｌにおける耳保持部２３Ｌと、右耳用のヘッドホン装置２０Ｒにおける耳保持部２３Ｒとが隣り合った状態で合わせられたとき、１つのまとまった形状となり、一体感を生じさせるようになされている。
【００３０】
これにより左耳用のヘッドホン装置２０Ｌ及び右耳用のヘッドホン装置２０Ｒが一体となった状態の１対のヘッドホン装置２０ＬＲでは、ユーザが持ち運び易くなり、非常に使い易くなる。
【００３１】
［１−２．ヘッドホン装置の装着状態］
図７（Ａ）及び（Ｂ）に示すようにヘッドホン装置２０は、ユーザの耳に装着された際、ドライバーユニット２１の先端に取り付けられたイヤーピース２２が耳殻の外耳道に押し込められることにより当該ヘッドホン装置２０が保持される。
【００３２】
このときヘッドホン装置２０は、耳保持部２３における略Ｕ字状に湾曲されたアーム２３Ａが一旦下方に押し広げられてユーザの耳たぶを跨ぐようにして装着されると、当該アーム２３Ａの先端２３Ｂが耳殻裏側付根部の近傍にある窪み部分ＱＰに当接される。
【００３３】
これによりヘッドホン装置２０では、押し広げられたアーム２３Ａが元に戻ろうとするときの付勢力により、耳たぶに接触することなく、更にイヤーピース２２とアーム２３Ａの先端２３Ｂとによる２点支持によってユーザの耳に装着され得るようになされている。
【００３４】
このときヘッドホン装置２０は、イヤーピース２２とアーム２３Ａの先端２３Ｂとにより耳殻の付け根部分を挟み付けるときの距離が間隔Ｄ１のようになる。
【００３５】
このヘッドホン装置２０における間隔Ｄ１は、図８に示すような耳たぶに装着するヘッドホン装置３０において、ドライバーユニット３１と一体的に接続された耳保持部３３のアーム３３Ａとによって耳たぶを挟み付ける際の間隔ｄよりも格段的に長くなる。
【００３６】
これによりヘッドホン装置２０では、イヤーピース２２とアーム２３Ａの先端２３Ｂとによる２点支持であっても強固に保持される。
【００３７】
また同時にヘッドホン装置２０は、この間隔Ｄ１が、従来のヘッドホン装置３０（図８）の間隔ｄよりも十分に長くなることにより、耳殻に対する圧迫感を軽減して装着時の痛みを生じさせることを回避し得るようになされている。
【００３８】
［１−３．動作及び効果］
以上の構成において、ヘッドホン装置２０は、ドライバーユニット２１の先端に取り付けられたイヤーピース２２が外耳道に押し込められたことにより保持される。一方、ヘッドホン装置２０は、耳保持部２３におけるアーム２３Ａの先端２３Ｂが耳殻裏側付根部の窪み部分ＱＰに当接された状態で保持される。これによりヘッドホン装置２０は、イヤーピース２２とアーム２３Ａの先端２３Ｂとの２点支持によりユーザの耳に装着されることになる。
【００３９】
このときヘッドホン装置２０は、略Ｕ字状に湾曲されたアーム２３Ａが押し広げられてユーザの耳たぶを跨ぐように装着されるので、押し広げられたアーム２３Ａが元に戻ろうとする付勢力が働く。これによりヘッドホン装置２０は、イヤーピース２２とアーム２３Ａの先端２３Ｂとの２点支持ではあるものの、強固な状態でユーザの耳に装着することができる。
【００４０】
ところで図８に示したように、耳たぶに装着するタイプのヘッドホン装置３０では、耳保持部３３のアーム３３Ａが耳たぶを挟み付ける構造であるため、当該アーム３３Ａが耳たぶを圧迫することになり、長時間装着したときには痛みを与えることになっていた。
【００４１】
これに対してヘッドホン装置２０は、略Ｕ字状に湾曲されたアーム２３Ａがユーザの耳たぶを跨ぐように装着されることになるので、耳たぶに対する圧迫感とは無縁で、長時間であってもユーザに痛みを与えることのない快適な装着感を提供することができる。
【００４２】
さらにヘッドホン装置２０は、耳たぶに対して挟み付ける構造ではなくアーム２３Ａの弾性力を用いて、耳たぶに接触することなく、イヤーピース２２とアーム２３Ａの先端２３Ｂとの２点支持によりユーザの耳に装着することができる。
【００４３】
これによりヘッドホン装置２０は、耳たぶのサイズに左右されることがなく、あらゆるユーザに対しても容易に装着させることができ、かくして装着カバー率を大幅に向上することができる。
【００４４】
以上の構成によれば、ヘッドホン装置２０は、耳たぶに対して挟み付ける構造ではなくアーム２３Ａの弾性力を用いて、イヤーピース２２とアーム２３Ａの先端２３Ｂとの２点支持により、耳たぶに接触することなくユーザの耳に装着することができる。かくしてヘッドホン装置２０は、全てのユーザに対して痛みを伴わせることなく良好な装着感及び装着安定性を提供することができる。
【００４５】
＜２．第２の実施の形態＞
［２−１．ヘッドホン装置の構成］
図５（Ｂ）との対応部分に同一符号を付した図９（Ａ）は、本発明の第２の実施の形態におけるヘッドホン装置４０を側面から見たときの様子を示す。また、図７（Ｂ）との対応部分に同一符号を付した図９（Ｂ）は、当該ヘッドホン装置４０がユーザの耳に装着されたときの様子を示す。
【００４６】
このヘッドホン装置４０は、インナーイヤータイプのドライバーユニット２１と、その先端に取り付けられたイヤーピース２２と、ドライバーユニット２１を一体的に保持している略Ｕ字状に形成された円柱状の耳保持部４３とによって構成されている。
【００４７】
耳保持部４３は、ドライバーユニット２１と接続コード２４とを当該耳保持部４３の内部で電気的に接続し、ドライバーユニット２１は接続コード２４を介して例えば携帯型オーディオプレーヤから供給される電気信号に応じた音声を出力する。
【００４８】
また耳保持部４３は、その先端へ行くに連れて略Ｕ字状に湾曲されたアーム４３Ａを有し、ユーザの耳に装着されたとき、当該アーム４３Ａが耳たぶに接触することなく、当該耳たぶの前方から後方へ回り込みながら当該耳たぶを跨ぐようになされている。
【００４９】
さらに耳保持部４３は、アーム４３Ａの先端４３Ｂが耳殻裏側付根部の窪み部分ＱＰに当接するようになされている。そのため耳保持部４３は、耳殻裏側付根部の窪み部分ＱＰに接触すべきアーム４３Ａの先端４３Ｂが半球状に形成されている。
【００５０】
ここで耳保持部４３は、ニトリルゴム（ＮＢＲ）、シリコンゴム、射出成型により形成されたエラストマー、アクリル樹脂、ＡＢＳ樹脂、ポリプロピレンやポリブチレンテレフタレート等の合成樹脂からなる弾性体でなる。
【００５１】
なお、アーム４３Ａについても、エラストマー、アクリル樹脂、ＡＢＳ樹脂、ポリプロピレンやポリブチレンテレフタレート等の合成樹脂からなる弾性体でなる。因みに、耳保持部４３が金属で形成され、その先端のアーム４３Ａが弾性体で形成されるようにしても良い。
【００５２】
これによりヘッドホン装置４０は、耳保持部４３におけるアーム４３Ａの半球状に形成された先端４３Ｂが耳殻裏側付根部の窪み部分ＱＰに当接されたとき、柔らかな装着感を与え得るようになされている。
【００５３】
［２−２．ヘッドホン装置の装着状態］
図９（Ｂ）に示したようにヘッドホン装置４０は、ユーザの耳に装着される際、ドライバーユニット２１の先端に取り付けられたイヤーピース２２が外耳道に押し込められることにより当該ヘッドホン装置４０が保持される。
【００５４】
このとき同時にヘッドホン装置４０は、耳保持部４３における略Ｕ字状に湾曲されたアーム４３Ａが押し広げられてユーザの耳たぶの前方から後方へ回り込みながら当該耳たぶを跨ぐようにして装着される。そうするとヘッドホン装置４０は、当該アーム４３Ａの先端４３Ｂが耳殻裏側付根部の窪み部分ＱＰに当接されることになる。
【００５５】
これによりヘッドホン装置４０では、押し広げられたアーム４３Ａが元に戻ろうとする付勢力が働き、耳たぶに接触することなく、イヤーピース２２とアーム４３Ａの先端４３Ｂとによる２点支持によりユーザの耳に装着され得るようになされている。
【００５６】
このときヘッドホン装置４０は、イヤーピース２２とアーム４３Ａの先端４３Ｂとにより耳殻の付け根部分を挟み付けるときの距離が間隔Ｄ２のようになる。
【００５７】
このヘッドホン装置４０における間隔Ｄ２は、図８に示したようなヘッドホン装置３０の耳保持部３３のアーム３３Ａによって耳たぶを挟み付ける際の間隔ｄよりも格段的に長くなる。
【００５８】
これによりヘッドホン装置４０では、イヤーピース２２とアーム４３Ａの先端４３Ｂとによる２点支持であっても強固に保持される。
【００５９】
また同時にヘッドホン装置４０は、この間隔Ｄ２が、従来のヘッドホン装置３０（図８）の間隔ｄよりも十分に長くなることにより、耳殻に対する圧迫感を軽減して装着時の痛みを生じさせることを回避し得るようになされている。
【００６０】
［２−３．動作及び効果］
以上の構成において、ヘッドホン装置４０は、ドライバーユニット２１の先端に取り付けられたイヤーピース２２が外耳道に押し込められて保持される。一方、ヘッドホン装置４０は、耳保持部４３におけるアーム４３Ａの先端４３Ｂが耳殻裏側付根部の窪み部分ＱＰに当接された状態で保持される。これによりヘッドホン装置４０は、イヤーピース２２とアーム４３Ａの先端４３Ｂとの２点支持によりユーザの耳に装着されることになる。
【００６１】
このときヘッドホン装置４０は、略Ｕ字状に湾曲されたアーム４３Ａが押し広げられてユーザの耳たぶの前方から後方へ回り込みながら当該耳たぶを跨ぐように装着されたとき、押し広げられたアーム４３Ａが元に戻ろうとする付勢力が働く。これによりヘッドホン装置４０は、イヤーピース２２とアーム４３Ａの先端４３Ｂとの２点支持ではあるものの、強固な状態でユーザの耳に装着することができる。
【００６２】
またヘッドホン装置４０は、略Ｕ字状に湾曲されたアーム４３Ａがユーザの耳たぶに接触することなく前方から後方へ回り込みながら当該耳たぶを跨ぐように装着されることになる。
【００６３】
これによりヘッドホン装置４０では、耳たぶに対する圧迫感とは無縁で、耳保持部４３による装着時の痛みをユーザに与えることがなく、長時間であっても痛みを伴うことのない快適な装着感を提供することができる。
【００６４】
さらにヘッドホン装置４０は、耳たぶに対して挟み付ける構造ではなくアーム４３Ａの弾性力を用いて、イヤーピース２２とアーム４３Ａの先端４３Ｂとの２点支持によりユーザの耳に装着することができる。
【００６５】
これによりヘッドホン装置４０は、耳たぶのサイズに左右されることがなく、あらゆるユーザに対しても容易に装着させることができ、かくして装着カバー率を大幅に向上することができる。
【００６６】
以上の構成によれば、ヘッドホン装置４０は、耳たぶに対して挟み付ける構造ではなくアーム４３Ａの弾性力を用いて、イヤーピース２２とアーム４３Ａの先端４３Ｂとの２点支持により、耳たぶに接触することなくユーザの耳に装着することができる。かくしてヘッドホン装置４０は、全てのユーザに対して痛みを伴わせることなく良好な装着感及び装着安定性を提供することができる。
【００６７】
＜３．第３の実施の形態＞
［３−１．ヘッドホン装置の構成］
図５（Ｂ）との対応部分に同一符号を付した図１０（Ａ）は、本発明の第３の実施の形態におけるヘッドホン装置５０を側面から見たときの様子を示す。また、図７（Ｂ）との対応部分に同一符号を付した図１０（Ｂ）は、当該ヘッドホン装置５０がユーザの耳に装着されたときの様子を示す。
【００６８】
このヘッドホン装置５０は、インナーイヤータイプのドライバーユニット２１と、その先端に取り付けられたイヤーピース２２と、当該ドライバーユニット２１を一体的に保持している略Ｕ字状に形成された円柱状の耳保持部５３とによって構成されている。
【００６９】
耳保持部５３は、ドライバーユニット２１と接続コード２４とを当該耳保持部５３の内部で電気的に接続し、ドライバーユニット２１は接続コード２４を介して例えば携帯型オーディオプレーヤから供給される電気信号に応じた音声を出力する。
【００７０】
また耳保持部５３は、その先端へ行くに連れて略Ｕ字状に湾曲されたアーム５３Ａを有し、ユーザの耳に装着されたとき、当該アーム５３Ａが耳殻上方部に接触することなく、当該耳殻上方部を跨ぐようになされている。
【００７１】
さらに耳保持部５３は、アーム５３Ａの先端５３Ｂが耳殻上方裏側付根部の近接部分に接触するようになされている。そのため耳保持部５３は、耳殻上方裏側付根部の近接部分に接触すべきアーム５３Ａの先端５３Ｂが半球状に形成されている。
【００７２】
ここで耳保持部５３は、ニトリルゴム（ＮＢＲ）、シリコンゴム、射出成型により形成されたエラストマー、アクリル樹脂、ＡＢＳ樹脂、ポリプロピレンやポリブチレンテレフタレート等の合成樹脂からなる弾性体でなる。
【００７３】
なお、アーム５３Ａについても、エラストマー、アクリル樹脂、ＡＢＳ樹脂、ポリプロピレンやポリブチレンテレフタレート等の合成樹脂からなる弾性体でなる。因みに、耳保持部５３が金属で形成され、その先端のアーム５３Ａが弾性体で形成されるようにしても良い。
【００７４】
これによりヘッドホン装置５０は、耳保持部５３におけるアーム５３Ａの半球状に形成された先端５３Ｂが耳殻上方裏側付根部の近接部分に当接されたとき、柔らかな装着感を与え得るようになされている。
【００７５】
［３−２．ヘッドホン装置の装着状態］
図１０（Ｂ）に示したようにヘッドホン装置５０は、ユーザの耳に装着される際、ドライバーユニット２１の先端に取り付けられたイヤーピース２２が外耳道に押し込められることにより当該ヘッドホン装置５０が保持される。
【００７６】
このときヘッドホン装置５０は、耳保持部５３における略Ｕ字状に湾曲されたアーム５３Ａが押し広げられてユーザの耳殻上方部を跨ぐようにして装着されると、当該アーム５３Ａの先端５３Ｂが耳殻上方裏側付根部の近接部分に当接されることになる。
【００７７】
これによりヘッドホン装置５０では、押し広げられたアーム５３Ａが元に戻ろうとする付勢力が働き、耳殻に接触することなく、イヤーピース２２とアーム５３Ａの先端５３Ｂとによる２点支持によりユーザの耳に装着され得るようになされている。
【００７８】
このときヘッドホン装置５０は、イヤーピース２２とアーム５３Ａの先端５３Ｂとにより耳殻上方部の付け根部分を挟み付けるときの距離が間隔Ｄ３のようになる。
【００７９】
このヘッドホン装置５０における間隔Ｄ３は、図８に示したようなヘッドホン装置３０の耳保持部３３のアーム３３Ａによって耳たぶを挟み付ける際の間隔ｄよりも格段的に長くなる。
【００８０】
これによりヘッドホン装置５０では、イヤーピース２２とアーム５３Ａの先端５３Ｂとによる２点支持であっても強固に保持される。
【００８１】
また同時にヘッドホン装置５０は、この間隔Ｄ３が、従来のヘッドホン装置３０の間隔ｄよりも十分に長くなるので、耳殻に対する圧迫感を軽減して装着時の痛みを生じさせることを回避し得るようになされている。
【００８２】
［３−３．動作及び効果］
以上の構成において、ヘッドホン装置５０は、ドライバーユニット２１の先端に取り付けられたイヤーピース２２が外耳道に押し込められて保持される。一方、ヘッドホン装置５０は、耳保持部５３におけるアーム５３Ａの先端５３Ｂが耳殻上方裏側付根部の近接部分に当接されて保持される。これによりヘッドホン装置５０は、イヤーピース２２とアーム５３Ａの先端５３Ｂとの２点支持によりユーザの耳に装着されることになる。
【００８３】
このときヘッドホン装置５０は、略Ｕ字状に湾曲されたアーム５３Ａが押し広げられてユーザの耳殻上方部を跨ぐように装着されたとき、押し広げられたアーム５３Ａが元に戻ろうとする付勢力が働く。これによりヘッドホン装置５０は、イヤーピース２２とアーム５３Ａの先端５３Ｂとの２点支持だけではあるものの、強固な状態でユーザの耳に装着することができる。
【００８４】
またヘッドホン装置５０は、略Ｕ字状に湾曲されたアーム５３Ａがユーザの耳たぶに接触することなく耳殻上方部を跨ぐように装着されることになる。これによりヘッドホン装置５０は、耳たぶに対する圧迫感とは無縁で、耳保持部５３による装着時の痛みをユーザに与えることがなく、長時間であっても痛みを伴うことのない快適な装着感を提供することができる。
【００８５】
さらにヘッドホン装置５０は、耳たぶに対して挟み付ける構造ではなくアーム５３Ａの弾性力を用いて、イヤーピース２２とアーム５３Ａの先端５３Ｂとの２点支持によりユーザの耳に装着することができる。
【００８６】
これによりヘッドホン装置５０は、耳たぶのサイズに左右されることがなく、あらゆるユーザに対しても容易に装着させることができ、かくして装着カバー率を大幅に向上することができる。
【００８７】
以上の構成によれば、ヘッドホン装置５０は、耳たぶに対して挟み付ける構造ではなくアーム５３Ａの弾性力を用いて、イヤーピース２２とアーム５３Ａの先端５３Ｂとの２点支持により耳たぶに接触することなくユーザの耳に装着することができる。かくしてヘッドホン装置５０は、全てのユーザに対して痛みを伴わせることなく良好な装着感及び装着安定性を提供することができる。
【００８８】
＜４．第４の実施の形態＞
［４−１．ヘッドホン装置の構成］
図５（Ｂ）との対応部分に同一符号を付した図１１（Ａ）は、本発明の第４の実施の形態におけるヘッドホン装置６０を側面から見たときの様子を示す。また、図７（Ｂ）との対応部分に同一符号を付した図１１（Ｂ）は、当該ヘッドホン装置６０がユーザの耳に装着されたときの様子を示す。
【００８９】
このヘッドホン装置６０では、インナーイヤータイプのドライバーユニット２１と、その先端に取り付けられたイヤーピース２２と、当該ドライバーユニット２１を一体的に保持している略Ｕ字状に形成された円柱状の耳保持部６３とによって構成されている。
【００９０】
耳保持部６３は、ドライバーユニット２１と接続コード２４とを当該耳保持部６３の内部で電気的に接続し、ドライバーユニット２１は接続コード２４を介して例えば携帯型オーディオプレーヤから供給される電気信号に応じた音声を出力する。
【００９１】
また耳保持部６３は、その先端へ行くに連れて略Ｕ字状に湾曲されたアーム６３Ａを有し、ユーザの耳に装着されたとき、当該アーム６３Ａが耳殻側方部に接触することなく、当該耳殻側方部を跨ぐようになされている。
【００９２】
さらに耳保持部６３は、アーム６３Ａの先端６３Ｂが耳殻側方裏側付根部の近接部分に当接するようになされている。そのため耳保持部６３は、耳殻側方裏側付根部の近接部分に接触すべきアーム６３Ａの先端６３Ｂが半球状に形成されている。
【００９３】
ここで耳保持部６３は、ニトリルゴム（ＮＢＲ）、シリコンゴム、射出成型により形成されたエラストマー、アクリル樹脂、ＡＢＳ樹脂、ポリプロピレンやポリブチレンテレフタレート等の合成樹脂からなる弾性体でなる。
【００９４】
なお、アーム６３Ａについても、エラストマー、アクリル樹脂、ＡＢＳ樹脂、ポリプロピレンやポリブチレンテレフタレート等の合成樹脂からなる弾性体でなる。因みに、耳保持部６３が金属で形成され、その先端のアーム６３Ａが弾性体で形成されるようにしても良い。
【００９５】
これによりヘッドホン装置６０は、耳保持部６３におけるアーム６３Ａの半球状に形成された先端６３Ｂが耳殻側方裏側付根部の近接部分に当接されたとき、柔らかな装着感を与え得るようになされている。
【００９６】
［４−２．ヘッドホン装置の装着状態］
図１１（Ｂ）に示したようにヘッドホン装置６０は、ユーザの耳に装着される際、ドライバーユニット２１の先端に取り付けられたイヤーピース２２が外耳道に押し込められることにより当該ヘッドホン装置６０が保持される。
【００９７】
このときヘッドホン装置６０は、耳保持部６３における略Ｕ字状に湾曲されたアーム６３Ａが押し広げられてユーザの耳殻側方部を跨ぐようにして装着されると、当該アーム６３Ａの先端６３Ｂが耳殻側方裏側付根部の近接部分に当接されることになる。
【００９８】
これによりヘッドホン装置６０では、押し広げられたアーム６３Ａが元に戻ろうとする付勢力が働き、耳殻に接触することなく、イヤーピース２２とアーム６３Ａの先端６３Ｂとによる２点支持によりユーザの耳に装着され得るようになされている。
【００９９】
このときヘッドホン装置６０は、イヤーピース２２とアーム６３Ａの先端６３Ｂとにより耳殻側方裏側の付け根部分を挟み付けるときの距離が間隔Ｄ４のようになる。
【０１００】
このヘッドホン装置６０における間隔Ｄ４は、図８に示したようなヘッドホン装置３０において、ドライバーユニット３１と一体的に保持された耳保持部３３のアーム３３Ａによって耳たぶを挟み付ける際の間隔ｄよりも長くなる。
【０１０１】
これによりヘッドホン装置６０は、イヤーピース２２とアーム６３Ａの先端６３Ｂとによる２点支持であっても強固に保持される。
【０１０２】
また同時にヘッドホン装置６０は、この間隔Ｄ４が、従来の耳たぶに装着するヘッドホン装置３０の間隔ｄよりも十分に長くなるので、耳殻に対する圧迫感を軽減して装着時の痛みを生じさせることを回避し得るようになされている。
【０１０３】
［４−３．動作及び効果］
以上の構成において、ヘッドホン装置６０は、ドライバーユニット２１の先端に取り付けられたイヤーピース２２が外耳道に押し込められて保持される。一方、ヘッドホン装置６０は、耳保持部６３におけるアーム６３Ａの先端６３Ｂが耳殻側方裏側付根部の近接部分に当接されて保持される。これによりヘッドホン装置６０は、イヤーピース２２とアーム６３Ａの先端６３Ｂとの２点支持によりユーザの耳に装着されることになる。
【０１０４】
このときヘッドホン装置６０は、略Ｕ字状に湾曲されたアーム６３Ａが押し広げられてユーザの耳殻側方部を跨ぐように装着されたとき、押し広げられたアーム６３Ａが元に戻ろうとする付勢力が働く。これによりヘッドホン装置６０は、イヤーピース２２とアーム６３Ａの先端６３Ｂとの２点支持だけではあるものの、強固な状態でユーザの耳に装着することができる。
【０１０５】
またヘッドホン装置６０は、略Ｕ字状に湾曲されたアーム６３Ａがユーザの耳たぶに接触することなく耳殻側方部を跨ぐように装着されることになる。
【０１０６】
これによりヘッドホン装置６０は、耳たぶに対する圧迫感とは無縁で、耳保持部６３による装着時の痛みをユーザに与えることがなく、長時間であっても痛みを伴うことのない快適な装着感を提供することができる。
【０１０７】
さらにヘッドホン装置６０は、耳たぶに対して挟み付ける構造ではなくアーム６３Ａの弾性力を用いて、イヤーピース２２とアーム６３Ａの先端６３Ｂとの２点支持によりユーザの耳に装着することができる。
【０１０８】
これによりヘッドホン装置６０は、耳たぶのサイズに左右されることがなく、あらゆるユーザに対しても容易に装着させることができ、かくして装着カバー率を大幅に向上することができる。
【０１０９】
以上の構成によれば、ヘッドホン装置６０は、耳たぶに対して挟み付ける構造ではなくアーム６３Ａの弾性力を用いて、イヤーピース２２とアーム６３Ａの先端６３Ｂとの２点支持により耳たぶに接触することなくユーザの耳に装着することができる。かくしてヘッドホン装置６０は、全てのユーザに対して痛みを伴わせることなく良好な装着感及び装着安定性を提供することができる。
【０１１０】
＜５．第５の実施の形態＞
［５−１．ヘッドホン装置の構成］
図５（Ａ）との対応部分に同一符号を付した図１２（Ａ）は、本発明の第５の実施の形態におけるヘッドホン装置７０を正面から見たときの様子を示す。また、図７（Ｂ）との対応部分に同一符号を付した図１２（Ｂ）は、当該ヘッドホン装置７０がユーザの耳に装着されたときの様子を示す。
【０１１１】
このヘッドホン装置７０では、ドライバーユニット７１と、当該ドライバーユニット７１を一体的に保持している略ム字状に形成された円柱状の耳保持部７３とによって構成されている。
【０１１２】
ドライバーユニット７１は、音声の出力方向が鼓膜に向くように装着するバーチカルタイプであり、当該ドライバーユニット７１による音声の出力方向が鼓膜に向くように外耳道に押し込められるようになされている。
【０１１３】
耳保持部７３は、ドライバーユニット７１と接続コード２４とを当該耳保持部７３の内部で電気的に接続し、ドライバーユニット７１は接続コード２４を介して例えば携帯型オーディオプレーヤから供給される電気信号に応じた音声を出力する。
【０１１４】
また耳保持部７３は、その先端へ行くに連れて略ム字形状に湾曲されたアーム７３Ａを有し、ユーザの耳に装着されたとき、耳たぶに接触することなく当該アーム７３Ａが耳たぶの前方から後方へ回り込みながら当該耳たぶを跨ぐようになされている。
【０１１５】
さらに耳保持部７３は、アーム７３Ａの先端７３Ｂが耳殻側方裏側付根部の窪み部分ＱＰに当接するようになされている。そのため耳保持部７３は、耳殻側方裏側付根部の窪み部分ＱＰに接触すべきアーム７３Ａの先端７３Ｂが半球状に形成されている。
【０１１６】
ここで耳保持部７３は、ニトリルゴム（ＮＢＲ）、シリコンゴム、射出成型により形成されたエラストマー、アクリル樹脂、ＡＢＳ樹脂、ポリプロピレンやポリブチレンテレフタレート等の合成樹脂からなる弾性体でなる。
【０１１７】
なお、アーム７３Ａについても、エラストマー、アクリル樹脂、ＡＢＳ樹脂、ポリプロピレンやポリブチレンテレフタレート等の合成樹脂からなる弾性体でなる。因みに、耳保持部７３が金属で形成され、その先端のアーム７３Ａが弾性体で形成されるようにしても良い。
【０１１８】
これによりヘッドホン装置７０は、耳保持部７３におけるアーム７３Ａの半球状に形成された先端７３Ｂが耳殻側方裏側付根部の窪み部分ＱＰに当接されたとき、柔らかな装着感を与え得るようになされている。
【０１１９】
［５−２．ヘッドホン装置の装着状態］
図１２（Ｂ）に示したようにヘッドホン装置７０は、ユーザの耳に装着される際、ドライバーユニット７１が外耳道に直接押し込められることにより当該ヘッドホン装置７０が保持される。
【０１２０】
このとき同時にヘッドホン装置７０は、耳保持部７３における略ム字状に湾曲されたアーム７３Ａが押し広げられてユーザの耳たぶの前方から後方へ回り込みながら当該耳たぶを跨ぐようにして装着される。そうするとヘッドホン装置７０は、当該アーム７３Ａの先端７３Ｂが耳殻裏側付根部の窪み部分ＱＰに当接されることになる。
【０１２１】
これによりヘッドホン装置７０では、押し広げられたアーム７３Ａが元に戻ろうとする付勢力が働き、耳たぶに接触することなく、ドライバーユニット７１とアーム７３Ａの先端７３Ｂとによる２点支持によりユーザの耳に装着され得るようになされている。
【０１２２】
このときヘッドホン装置７０は、ドライバーユニット７１とアーム７３Ａの先端７３Ｂとにより耳殻の付け根部分を挟み付けるときの距離が間隔Ｄ５のようになる。
【０１２３】
このヘッドホン装置７０における間隔Ｄ５は、図８に示したようなヘッドホン装置３０の耳保持部３３のアーム３３Ａによって耳たぶを挟み付ける際の間隔ｄよりも格段的に長くなる。
【０１２４】
これによりヘッドホン装置７０では、ドライバーユニット７１とアーム７３Ａの先端７３Ｂとによる２点支持であっても強固に保持されることになる。
【０１２５】
また同時にヘッドホン装置７０は、この間隔Ｄ５が、従来の耳たぶに装着するヘッドホン装置３０の間隔ｄよりも十分に長くなるので、耳殻に対する圧迫感を軽減して装着時の痛みを生じさせることをも回避し得るようになされている。
【０１２６】
［５−３．動作及び効果］
以上の構成において、ヘッドホン装置７０は、ドライバーユニット７１が外耳道に押し込められて保持される。一方、ヘッドホン装置７０は、耳保持部７３におけるアーム７３Ａの先端７３Ｂが耳殻裏側付根部の窪み部分ＱＰに当接されて保持される。これによりヘッドホン装置７０は、ドライバーユニット７１とアーム７３Ａの先端７３Ｂとの２点支持によりユーザの耳に装着されることになる。
【０１２７】
このときヘッドホン装置７０は、略ム字状に湾曲されたアーム７３Ａが押し広げられてユーザの耳たぶの前方から後方へ回り込みながら当該耳たぶを跨ぐように装着されたとき、押し広げられたアーム７３Ａが元に戻ろうとする付勢力が働く。これによりヘッドホン装置７０は、ドライバーユニット７１とアーム７３Ａの先端７３Ｂとの２点支持だけではあるものの、強固な状態でユーザの耳に装着することができる。
【０１２８】
またヘッドホン装置７０は、略ム字状に湾曲されたアーム７３Ａがユーザの耳たぶに接触することなく耳たぶの前方から後方へ回り込みながら当該耳たぶを跨ぐように装着されることになる。
【０１２９】
これによりヘッドホン装置７０は、耳たぶに対する圧迫感とは無縁で、耳保持部７３による装着時の痛みをユーザに与えることがなく、長時間であっても痛みを伴うことのない快適な装着感を提供することができる。
【０１３０】
さらにヘッドホン装置７０は、耳たぶに対して挟み付ける構造ではなくアーム７３Ａの弾性力を用いて、ドライバーユニット７１とアーム７３Ａの先端７３Ｂとの２点支持によりユーザの耳に装着することができる。
【０１３１】
これによりヘッドホン装置７０は、耳たぶのサイズに左右されることがなく、あらゆるユーザに対しても容易に装着させることができ、かくして装着カバー率を大幅に向上することができる。
【０１３２】
以上の構成によれば、ヘッドホン装置７０は、耳たぶに対して挟み付ける構造ではなくアーム７３Ａの弾性力を用いて、ドライバーユニット７１とアーム７３Ａの先端７３Ｂとの２点支持により耳たぶに接触することなくユーザの耳に装着することができる。かくしてヘッドホン装置７０は、全てのユーザに対して痛みを伴わせることなく良好な装着感及び装着安定性を提供することができる。
【０１３３】
＜６．第６の実施の形態＞
［６−１．ヘッドホン装置の構成］
図１２（Ａ）との対応部分に同一符号を付した図１３（Ａ）は、本発明の第６の実施の形態におけるヘッドホン装置８０を正面から見たときの様子を示す。また、図１２（Ｂ）との対応部分に同一符号を付した図１３（Ｂ）は、当該ヘッドホン装置８０がユーザの耳に装着されたときの様子を示す。
【０１３４】
このヘッドホン装置８０では、ドライバーユニット７１と、当該ドライバーユニット７１を一体的に保持している略ワ字状に形成された円柱状の耳保持部８３とによって構成されている。
【０１３５】
ドライバーユニット７１は、音声の出力方向が鼓膜に向くように装着するバーチカルタイプであり、当該ドライバーユニット７１による音声の出力方向が鼓膜に向くように外耳道に押し込められるようになされている。
【０１３６】
耳保持部８３は、ドライバーユニット７１と接続コード２４とを当該耳保持部８３の内部で電気的に接続し、ドライバーユニット７１は接続コード２４を介して例えば携帯型オーディオプレーヤから供給される電気信号に応じた音声を出力する。
【０１３７】
また耳保持部８３は、その先端部へ行くに連れて略ワ字形状に湾曲されたアーム８３Ａを有し、ユーザの耳に装着されたとき、当該耳殻に接触することなく当該アーム８３Ａが耳殻上部前方から耳殻下部後方へ回り込んで当該耳殻を跨ぐようになされている。
【０１３８】
さらに耳保持部８３は、アーム８３Ａの先端８３Ｂが耳殻裏側付根部の窪み部分ＱＰに当接するようになされている。そのため耳保持部８３は、耳殻裏側付根部の窪み部分ＱＰに当接すべきアーム８３Ａの先端８３Ｂが半球状に形成されている。
【０１３９】
ここで耳保持部８３は、ニトリルゴム（ＮＢＲ）、シリコンゴム、射出成型により形成されたエラストマー、アクリル樹脂、ＡＢＳ樹脂、ポリプロピレンやポリブチレンテレフタレート等の合成樹脂からなる弾性体でなる。
【０１４０】
なお、アーム８３Ａについても、エラストマー、アクリル樹脂、ＡＢＳ樹脂、ポリプロピレンやポリブチレンテレフタレート等の合成樹脂からなる弾性体でなる。因みに、耳保持部８３が金属で形成され、その先端のアーム８３Ａが弾性体で形成されるようにしても良い。
【０１４１】
これによりヘッドホン装置８０は、耳保持部８３におけるアーム８３Ａの半球状に形成された先端８３Ｂが耳殻裏側付根部の窪み部分ＱＰに当接されたとき、柔らかな装着感を与え得るようになされている。
【０１４２】
［６−２．ヘッドホン装置の装着状態］
図１３（Ｂ）に示したようにヘッドホン装置８０は、ユーザの耳に装着される際、ドライバーユニット７１が外耳道に直接押し込められることにより当該ヘッドホン装置８０が保持される。
【０１４３】
このとき同時にヘッドホン装置８０は、耳保持部８３における略ワ字状に湾曲されたアーム８３Ａが押し広げられてユーザの耳殻上部前方から耳殻下部後方へ回り込みながら当該耳たぶを跨ぐようにして装着される。そうするとヘッドホン装置８０は、当該アーム８３Ａの先端８３Ｂが耳殻裏側付根部の窪み部分ＱＰに当接されることになる。
【０１４４】
これによりヘッドホン装置８０では、押し広げられたアーム８３Ａが元に戻ろうとする付勢力が働き、耳たぶに接触することなく、ドライバーユニット７１とアーム８３Ａの先端８３Ｂとによる２点支持によりユーザの耳に装着され得るようになされている。
【０１４５】
このときヘッドホン装置８０は、ドライバーユニット７１とアーム８３Ａの先端８３Ｂとにより耳殻の付け根部分を挟み付けるときの距離が間隔Ｄ６のようになる。
【０１４６】
従ってヘッドホン装置８０における間隔Ｄ６は、図８に示したようなヘッドホン装置３０の耳保持部３３のアーム３３Ａによって耳たぶを挟み付ける際の間隔ｄよりも格段的に長くなる。
【０１４７】
これによりヘッドホン装置８０では、ドライバーユニット７１とアーム８３Ａの先端８３Ｂとによる２点支持であっても強固に保持されることになる。
【０１４８】
また同時にヘッドホン装置８０は、この間隔Ｄ６が、従来の装着するヘッドホン装置３０の間隔ｄよりも十分に長くなるので、耳殻に対する圧迫感を軽減して装着時の痛みを生じさせることをも回避し得るようになされている。
【０１４９】
［６−３．動作及び効果］
以上の構成において、ヘッドホン装置８０は、ドライバーユニット７１が外耳道に押し込められて保持される。一方、ヘッドホン装置８０は、耳保持部８３におけるアーム８３Ａの先端８３Ｂが耳殻裏側付根部の窪み部分ＱＰに当接されて保持される。これによりヘッドホン装置８０は、ドライバーユニット７１とアーム８３Ａの先端８３Ｂとの２点支持によりユーザの耳に装着されることになる。
【０１５０】
このときヘッドホン装置８０は、略ワ字状に湾曲されたアーム８３Ａが押し広げられてユーザの耳殻前方から耳殻後方へ回り込みながら当該耳殻を跨ぐように装着されたとき、押し広げられたアーム８３Ａが元に戻ろうとする付勢力が働く。これによりヘッドホン装置８０は、ドライバーユニット７１とアーム８３Ａの先端８３Ｂとの２点支持だけではあるものの、強固な状態でユーザの耳に装着することができる。
【０１５１】
またヘッドホン装置８０は、略ワ字状に湾曲されたアーム８３Ａがユーザの耳たぶに接触することなく耳殻上部前方から耳殻下部後方へ回り込みながら当該耳殻を跨ぐように装着されることになる。
【０１５２】
これによりヘッドホン装置８０は、耳たぶに対する圧迫感とは無縁で、耳保持部８３による装着時の痛みをユーザに与えることがなく、長時間であっても痛みを伴うことのない快適な装着感を提供することができる。
【０１５３】
さらにヘッドホン装置８０は、耳たぶに対して挟み付ける構造ではなくアーム８３Ａの弾性力を用いて、ドライバーユニット７１とアーム８３Ａの先端８３Ｂとの２点支持によりユーザの耳に装着することができる。
【０１５４】
これによりヘッドホン装置８０は、耳たぶのサイズに左右されることがなく、あらゆるユーザに対しても容易に装着させることができ、かくして装着カバー率を大幅に向上することができる。
【０１５５】
以上の構成によれば、ヘッドホン装置８０は、耳たぶに対して挟み付ける構造ではなくアーム８３Ａの弾性力を用いて、ドライバーユニット７１とアーム８３Ａの先端８３Ｂとの２点支持により耳たぶに接触することなくユーザの耳に装着することができる。かくしてヘッドホン装置８０は、全てのユーザに対して痛みを伴わせることなく良好な装着感及び装着安定性を提供することができる。
【０１５６】
＜７．他の実施の形態＞
なお上述した第１乃至第６の実施の形態においては、耳保持部２３、４３、５３、６３、７３、８３がユーザの耳たぶや耳殻に接触することがないようにした場合について述べたが、本発明はこれに限らず、耳保持部が耳たぶや耳殻に直接的に接触するようにしても良い。
【０１５７】
ここで、図１３（Ａ）との対応部分に同一符号を付した図１４（Ａ）は、本発明の他の実施の形態におけるヘッドホン装置９０を正面から見たときの様子を示す。また、図１３（Ｂ）との対応部分に同一符号を付した図１４（Ｂ）は、当該ヘッドホン装置９０がユーザの耳に装着されたときの様子を示す。
【０１５８】
このヘッドホン装置９０では、ドライバーユニット７１と、それと一体的に接続された略逆Ｃ字状に形成された筒状のハウジング９１と、そのハウジング９１に取り付けられた略ワ字状でかつ円柱状の耳掛けハンガー９２とによって構成されている。
【０１５９】
ドライバーユニット７１は、音声の出力方向が鼓膜に向くように装着するバーチカルタイプであり、当該ドライバーユニット７１による音声の出力方向が鼓膜に向くように外耳道に押し込められるようになされている。
【０１６０】
耳掛けハンガー９２は、ドライバーユニット７１と接続コード２４とを当該耳掛けハンガー９２の内部で電気的に接続し、ドライバーユニット７１は接続コード２４を介して例えば携帯型オーディオプレーヤから供給される電気信号に応じた音声を出力する。
【０１６１】
また耳掛けハンガー９２は、その先端部へ行くに連れて湾曲されたアーム９２Ａを有している。従って耳掛けハンガー９２がユーザの耳に装着されたとき、当該アーム９２Ａが耳殻上部前方から耳殻下部後方へ回り込む際に当該耳殻上部から耳殻下部へ向かい、かつ耳殻裏側付根部の近接部分を這うように当接されるようになされている。
【０１６２】
さらに耳掛けハンガー９２は、アーム９２Ａの先端９２Ｂが耳殻裏側付根部の窪み部分ＱＰに当接するようになされている。そのため耳掛けハンガー９２は、耳殻裏側付根部の窪み部分ＱＰに接触すべきアーム９２Ａの先端９２Ｂが半球状に形成されている。
【０１６３】
ここで耳掛けハンガー９２は、射出成型により形成されたエラストマー、アクリル樹脂、ＡＢＳ樹脂、ポリプロピレンやポリブチレンテレフタレート等の合成樹脂からなる弾性体でなる。
【０１６４】
アーム９２Ａについても、エラストマー、アクリル樹脂、ＡＢＳ樹脂、ポリプロピレンやポリブチレンテレフタレート等の合成樹脂からなる弾性体でなる。因みに、耳掛けハンガー９２が金属で形成され、その先端のアーム９２Ａが弾性体で形成されるようにしても良い。
【０１６５】
これによりヘッドホン装置９０では、耳掛けハンガー９２におけるアーム９２Ａの半球状に形成された先端９２Ｂが耳殻裏側付根部の窪み部分ＱＰに当接されたとき、柔らかな装着感を与え得るようになされている。
【０１６６】
実際上、ヘッドホン装置９０は、ユーザの耳に装着される際、ドライバーユニット７１が外耳道に直接押し込められることにより当該ヘッドホン装置９０が保持される。
【０１６７】
このとき同時にヘッドホン装置９０は、耳掛けハンガー９２における略ワ字状に湾曲されたアーム９２Ａが押し広げられてユーザの耳殻上部前方から耳殻下部後方へ回り込む際に当該耳殻を跨ぎながら装着される。
【０１６８】
そうするとヘッドホン装置９０は、当該アーム９２Ａ全体が耳殻裏側付根部の近接部分を這うように当接されながら、当該アーム９２Ａの先端９２Ｂが耳殻裏側付根部の窪み部分ＱＰに当接されることになる。
【０１６９】
これによりヘッドホン装置９０では、ドライバーユニット７１と、アーム９２Ａの先端９２Ｂとによる２点支持に加えて、アーム９２Ａ全体が耳殻裏側付根部の近接部分を這いながら面のように接触した状態でユーザの耳に装着され得るようになされている。
【０１７０】
なお、このときヘッドホン装置９０は、ドライバーユニット７１とアーム９２Ａの先端９２Ｂとにより耳殻の付け根部分を挟み付けるときの距離が間隔Ｄ７のようになる。
【０１７１】
従ってヘッドホン装置９０における間隔Ｄ７は、図８に示したようなヘッドホン装置３０の耳保持部３３のアーム３３Ａによって耳たぶを挟み付ける際の間隔ｄよりも長くなる。
【０１７２】
これによりヘッドホン装置９０では、ドライバーユニット７１とアーム９２Ａの先端９２Ｂとによる２点支持だけだとしても強固に保持される。
【０１７３】
また同時にヘッドホン装置９０は、この間隔Ｄ７が、従来のヘッドホン装置３０の間隔ｄよりも十分に長くなるので、耳殻に対する圧迫感を軽減して装着時の痛みを生じさせることをも回避し得るようになされている。
【０１７４】
なおヘッドホン装置９０では、ドライバーユニット７１が外耳道に押し込められて保持される一方、耳掛けハンガー９２におけるアーム９２Ａの先端９２Ｂが耳殻裏側付根部の窪み部分ＱＰに当接されて保持されることに加えて、アーム９２Ａ全体が耳殻裏側付根部の近接部分を這いながら面のように接触した状態で保持される。
【０１７５】
これによりヘッドホン装置９０は、これまで以上にフィット感の高い状態でユーザの耳に装着することができる。
【０１７６】
またヘッドホン装置９０は、耳掛けハンガー９２のアーム９２Ａがユーザの耳殻に接触することなく跨ぎ、耳殻上部前方から耳殻下部後方へ耳殻裏側付根部の近接部分を這うように当接されながら装着されることになる。
【０１７７】
これによりヘッドホン装置９０は、耳たぶに対する圧迫感とは無縁で、耳掛けハンガー９２による装着時の痛みをユーザに与えることがなく、長時間であっても痛みを伴うことのない快適な装着感を提供することができる。
【０１７８】
さらにヘッドホン装置９０は、耳たぶに対して挟み付ける構造ではなくアーム９２Ａの弾性力を用いて、ドライバーユニット７１とアーム９２Ａ全体と、当該アーム９２Ａの先端９２Ｂとによりユーザの耳に装着することができる。かくしてヘッドホン装置９０は、耳たぶのサイズに左右されることがなく、あらゆるユーザに対しても容易に装着させることができ、かくして装着カバー率を大幅に向上することができる。
【０１７９】
また上述した第１乃至第６の実施の形態においては、アーム２３Ａ、３３Ａ、４３Ａ、５３Ａ、６３Ａがエラストマー、アクリル樹脂、ＡＢＳ樹脂、ポリプロピレンやポリブチレンテレフタレート等の合成樹脂からなる弾性体で構成されるようにした。
【０１８０】
しかしながら、本発明はこれに限らず、アーム２３Ａ、３３Ａ、４３Ａ、５３Ａ、６３Ａの先端２３Ｂ、４３Ｂ、５３Ｂ、６３Ｂが耳殻裏側付根部の窪み部分ＱＰに当接されたとき、柔らかな装着感をユーザに与えることができれば、金属材料等のその他種々の素材で構成されるようにしても良い。
【０１８１】
さらに上述した第１の実施の形態においては、耳殻裏側付根部の窪み部分ＱＰに対してアーム２３Ａの先端２３Ｂが当接されたとき、面のように接触できるような所定角度（例えば約４５度〜６０度程度）に形成されるようにした場合について述べた。しかしながら、本発明はこれに限らず、その他の角度に形成されたり、或は球形状に形成されるようにしても良い。
【０１８２】
さらに上述した第１乃至第６の実施の形態においては、耳殻裏側付根部の窪み部分ＱＰに対してアーム２３Ａ、３３Ａ、４３Ａ、５３Ａ、６３Ａの先端２３Ｂ、４３Ｂ、５３Ｂ、６３Ｂが当接されたとき、面接触できるような所定角度（例えば約４５度程度）に形成されていたり、或いは球形状に形成されることにより柔らかな装着感をユーザに与えるようにした場合について述べた。しかしながら、本発明はこれに限らず、先端２３Ｂ、４３Ｂ、５３Ｂ、６３Ｂに対してスポンジやゴムのカバーを被せることにより柔らかな装着感をユーザに与えるようにしても良い。
【０１８３】
さらに上述した第１乃至第４の実施の形態においては、インナーイヤータイプのドライバーユニット２１を用いるようにした場合について述べた。しかしながら、本発明はこれに限らず、バーチカルタイプのドライバーユニットや、ラテラルタイプのドライバーユニットを用いるようにしても良い。
【０１８４】
さらに上述した第５及び第６の実施の形態においては、バーチカルタイプのドライバーユニットを用いるようにした場合について述べた。しかしながら、本発明はこれに限らず、インナーイヤータイプのドライバーユニットや、ラテラルタイプのドライバーユニットを用いるようにしても良い。
【０１８５】
さらに上述した第１乃至第６の実施の形態においては、接続コード２４により携帯型オーディオプレーヤと接続するようにした場合について述べた。しかしながら、本発明はこれに限らず、ブルートゥース（登録商標）を用いた無線方式によりヘッドホン装置２０、４０、５０、６０、７０、８０と携帯型オーディオプレーヤとを無線接続するようにしても良い。
【産業上の利用可能性】
【０１８６】
本発明のヘッドホン装置は、携帯型オーディオプレーヤに接続して用いられる他、例えば携帯電話機やＰＤＡ(Personal Digital Assistant)、ノートブック型パーソナルコンピュータ、ゲーム機、ホームオーディオ機器等のその他種々の電子機器に接続して用いられるヘッドホン装置に適用することができる。
【符号の説明】
【０１８７】
１……クリップ式ヘッドホン装置、２……本体部、３……耳掛け式つる部、５、８……耳たぶ装着式ヘッドホン装置、６、９、１２、３１、７１……ドライバーユニット、７、１０、２３、３３、４３、５３、６３、７３、８３……耳保持部、１１……耳掛け型ヘッドホン装置、１３……耳掛けハンガー、１３Ａ……後方アーム部、１３Ｂ……突起部、２０、３０、４０、５０、６０、７０、８０、９０……ヘッドホン装置、２２、３２……イヤーピース、２４……接続コード、９１……ハウジング、９２……耳掛けハンガー。
【図１】
2011019124.tif 000003
【図２】
2011019124.tif 000004
【図３】
2011019124.tif 000005
【図４】
2011019124.tif 000006
【図５】
2011019124.tif 000007
【図６】
2011019124.tif 000008
【図７】
2011019124.tif 000009
【図８】
2011019124.tif 000010
【図９】
2011019124.tif 000011
【図１０】
2011019124.tif 000012
【図１１】
2011019124.tif 000013
【図１２】
2011019124.tif 000014
【図１３】
2011019124.tif 000015
【図１４】
2011019124.tif 000016